(57)【要約】【課題】電源側給電ケーブルと負荷側給電ケーブルとを短絡接続してメータ類を無停電状態で取り外し可能とする無停電メータ取替用工具において、誤接続状態での短絡事故を確実に防止することができる技術を提供する。【解決手段】電源側接続部２０及び負荷側接続部３０が夫々の給電ケーブルに対して正しく接続された正接続状態であるか否かを判定する判定部５と、判定部５の判定結果を表示する判定結果表示部３と、を備えると共に、電源側接続部２０と負荷側接続部３０との接点に手動スイッチ１０ａと直列状態で設けられ、判定部５で正接続状態であると判定されたときに電源側接続部２０と負荷側接続部３０との接点を開放状態から閉成状態へ自動的に切り替わる継電部１２を備える。【選択図】図２
2020076689.tif 000002
【特許請求の範囲】
【請求項１】
電源側給電ケーブルに接続される電源側接続部と、
負荷側給電ケーブルに接続される負荷側接続部と、
前記電源側接続部と前記負荷側接続部との接点に設けられて開閉操作可能な手動スイッチと、を備え、
前記電源側接続部及び前記負荷側接続部を前記電源側給電ケーブル及び前記負荷側給電ケーブルに接続して前記電源側接続部と前記負荷側接続部とを導通させることで、当該電源側給電ケーブルと当該負荷側給電ケーブルとの間に介装されたメータ類を無停電状態で取り外し可能とする無停電メータ取替用工具であって、
前記電源側接続部及び前記負荷側接続部が前記電源側給電ケーブル及び前記負荷側給電ケーブルに対して正しく接続された正接続状態であるか否かを判定する判定部と、
前記判定部の判定結果を表示する判定結果表示部と、を備えると共に、
前記電源側接続部と前記負荷側接続部との接点に前記手動スイッチと直列状態で設けられ、前記判定部で前記正接続状態であると判定されたときに開放状態から閉成状態へ自動的に切り替わる継電部を備えた無停電メータ取替用工具。
【請求項２】
前記電源側接続部と前記負荷側接続部との接点に一定容量の電流が流れたときに当該接点を開放する遮断部を備え、
前記手動スイッチが、前記遮断部を開放状態から閉成状態へ切り替え操作可能な復帰用の手動スイッチである請求項１に記載の無停電メータ取替用工具。
【請求項３】
前記判定部が、前記電源側給電ケーブルに対する前記電源側接続部の接続を判定する電源側接続判定部と、前記負荷側給電ケーブルに対する前記負荷側接続部の接続を判定する負荷側接続判定部と、前記電源側接続部が接続された前記電源側給電ケーブルに対する前記負荷側接続部が接続された前記負荷側給電ケーブルの相の同異を判定する相判定部と、前記電源側接続判定部、前記負荷側接続判定部、及び前記相判定部の判定結果に基づいて前記正接続状態であるか否かを判定する接続完了判定部と、を有する請求項１又は２に記載の無停電メータ取替用工具。
【請求項４】
前記電源側接続判定部及び前記負荷側接続判定部での判定状態に基づいて前記給電ケーブルの配電方式を判定する配電方式判定部を備え、
前記接続完了判定部が、前記配電方式判定部の判定結果を用いて前記正接続状態であるか否かを判定する請求項３に記載の無停電メータ取替用工具。
【発明の詳細な説明】
【技術分野】
【０００１】
本発明は、電源側給電ケーブルと負荷側給電ケーブルとを短絡接続してそれらの間に介装されたメータ類を無停電状態で取り外し可能とする無停電メータ取替用工具に関する。
【背景技術】
【０００２】
上記無停電メータ取替用工具として、特許文献１に記載のものが知られている。
特許文献１に記載の無停電メータ取替用工具は、電源側給電ケーブル（電源側の接続電線２）に接続される電源側接続部（電源側の接続端子４ａ）と、負荷側給電ケーブル（負荷側の接続電線３）に接続される負荷側接続部（負荷側の接続端子４ｂ）と、を備え、夫々の接続部をそれと対応する夫々の給電ケーブルに接続して電源側接続部と負荷側接続部とを導通させることで、当該電源側給電ケーブルと当該負荷側給電ケーブルとの間に介装されたメータ類（電力量計１）を無停電状態で取り外し可能とするように構成されている。
【０００３】
また、この特許文献１に記載の無停電メータ取替用工具には、電源側接続部と負荷側接続部との互いに接続された相間に電位差がある場合に点灯するランプ（３５，３６）が設けられている。即ち、夫々の接続部を夫々の給電ケーブルに対して接続する接続作業の完了時、その上記ランプが点灯している場合には、夫々のケーブルの各相が正しく接続されていると認識できる。そして、作業者は、ランプの点灯によって正しく接続されていると認識した上で、電源側接続部と負荷側接続部との接点を開閉可能な手動スイッチ（開閉器１７，１８）を開放状態から閉成状態に切り替える。このことで、メータ類を取り外した場合でも、当該無停電メータ取替用工具を介して電源側給電ケーブルと負荷側給電ケーブルとが短絡接続されていることから、電力負荷への電力供給が継続されることになる。
【先行技術文献】
【特許文献】
【０００４】
【特許文献１】実公平０４−００７５７２号公報
【発明の概要】
【発明が解決しようとする課題】
【０００５】
上記従来の無停電メータ取替用工具では、接続作業の完了時においてその接続が正しく行われていない誤接続状態であっても、作業者の身体やその他の物体が手動スイッチに無意識に衝突するなどの理由で、手動スイッチが不用意に開放状態から閉成状態へ誤操作される可能性がある。そして、このような手動スイッチの誤操作が生じると、負荷側の電気機器が故障するなどの短絡事故が発生する虞がある。
【０００６】
この実情に鑑み、本発明の主たる課題は、電源側給電ケーブルと負荷側給電ケーブルとを短絡接続してメータ類を無停電状態で取り外し可能とする無停電メータ取替用工具において、誤接続状態での短絡事故を確実に防止することができる技術を提供する点にある。
【課題を解決するための手段】
【０００７】
本発明の第１特徴構成は、電源側給電ケーブルに接続される電源側接続部と、
負荷側給電ケーブルに接続される負荷側接続部と、
前記電源側接続部と前記負荷側接続部との接点に設けられて開閉操作可能な手動スイッチと、を備え、
前記電源側接続部及び前記負荷側接続部を前記電源側給電ケーブル及び前記負荷側給電ケーブルに接続して前記電源側接続部と前記負荷側接続部とを導通させることで、当該電源側給電ケーブルと当該負荷側給電ケーブルとの間に介装されたメータ類を無停電状態で取り外し可能とする無停電メータ取替用工具であって、
前記電源側接続部及び前記負荷側接続部が前記電源側給電ケーブル及び前記負荷側給電ケーブルに対して正しく接続された正接続状態であるか否かを判定する判定部と、
前記判定部の判定結果を表示する判定結果表示部と、を備えると共に、
前記電源側接続部と前記負荷側接続部との接点に前記手動スイッチと直列状態で設けられ、前記判定部で前記正接続状態であると判定されたときに開放状態から閉成状態へ自動的に切り替わる継電部を備えた点にある。
【０００８】
本構成によれば、夫々の接続部を夫々の給電ケーブルに対して接続する接続作業の完了時において、接続部が給電ケーブルに対して正しく接続されていない誤接続状態であると、上記判定部により正接続状態ではないと判定されることになる。そして、電源側接続部と負荷側接続部との接点に設けられた上記継電部は、上記判定部で正接続状態であると判定されたときのみに開放状態から閉成状態へ自動的に切り替わるものであるので、上記誤接続状態では、電源側接続部と負荷側接続部との接点を開放状態に維持することができる。
【０００９】
更に、接続作業の完了時において上記判定部により正接続状態であると判定されている状態では、電源側接続部と負荷側接続部との接点に上記継電部と直列状態で設けられた上記手動スイッチを開放状態から閉成状態に切り替えることで、当該手動スイッチを介して電源側給電ケーブルと負荷側給電ケーブルとを短絡接続させることができる。すると、電力負荷への電力供給を継続させる無停電状態となって、メータ類を取り外すことができる。
一方、上記正接続状態ではない誤接続状態では、上記手動スイッチを開放状態から閉成状態に切り替えたとしても、継電部が開放状態に維持されている。このことで、電源側給電ケーブルと負荷側給電ケーブルとの短絡を確実に防止することができる。
【００１０】
従って、本発明により、電源側給電ケーブルと負荷側給電ケーブルとを短絡接続してメータ類を無停電状態で取り外し可能とする無停電メータ取替用工具において、誤接続状態での短絡事故を確実に防止することができる。
【００１１】
本発明の第２特徴構成は、前記電源側接続部と前記負荷側接続部との接点に一定容量の電流が流れたときに当該接点を開放する遮断部を備え、
前記手動スイッチが、前記遮断部を開放状態から閉成状態へ切り替え操作可能な復帰用の手動スイッチである点にある。
【００１２】
本構成によれば、上記判定部や継電部の故障等の理由で誤接続状態であるのにも拘らず、電源側給電ケーブルと負荷側給電ケーブルとが短絡接続されたときに、その短絡接続に起因して電源側接続部と負荷側接続部との接点に一定容量の電流が流れた場合には、上記遮断部により当該接点を開放されているので、短絡事故の拡大を防止することができる。
そして、電源側接続部と負荷側接続部との接点を開閉可能な手動スイッチとしては、この継電部の復帰用の手動スイッチを利用することができる。
【００１３】
本発明の第３特徴構成は、前記判定部が、前記電源側給電ケーブルに対する前記電源側接続部の接続を判定する電源側接続判定部と、前記負荷側給電ケーブルに対する前記負荷側接続部の接続を判定する負荷側接続判定部と、前記電源側接続部が接続された前記電源側給電ケーブルに対する前記負荷側接続部が接続された前記負荷側給電ケーブルの相の同異を判定する相判定部と、前記電源側接続判定部、前記負荷側接続判定部、及び前記相判定部の判定結果に基づいて前記正接続状態であるか否かを判定する接続完了判定部と、を有する点にある。
【００１４】
本構成によれば、電源側給電ケーブルに電源側接続部を接続する電源側接続作業において、上記電源側接続判定部の判定結果を確認することで、電源側給電ケーブルの各相に対して電源側接続部の各相が導電可能な状態で正常に接続されているか否かを認識することができる。同様に、負荷側給電ケーブルに負荷側接続部を接続する負荷側接続作業において、上記負荷側接続判定部の判定結果を確認することで、負荷側給電ケーブルの各相に対して負荷側接続部の各相が導電可能な状態で正常に接続されているか否かを認識することができる。
そして、これら電源側接続作業及び負荷側接続作業の完了時において、上記電源側接続判定部及び上記負荷側接続判定部の何れの判定結果においても正常に接続されていると判定され、更には、上記相判定部の判定結果において、電源側給電ケーブルに対して負荷側給電ケーブルが同じ相同士が接続されていると判定された場合には、電源側接続部及び負荷側接続部が電源側給電ケーブル及び負荷側給電ケーブルに対して正しく接続された正接続状態であると、上記接続完了判定部により判定することができる。
【００１５】
本発明の第４特徴構成は、上記第３特徴構成に加えて、前記電源側接続判定部及び前記負荷側接続判定部での判定状態に基づいて前記給電ケーブルの配電方式を判定する配電方式判定部を備え、
前記接続完了判定部が、前記配電方式判定部の判定結果を用いて前記正接続状態であるか否かを判定する点にある。
【００１６】
本構成によれば、作業者は、夫々の接続部をそれに対応する夫々の給電ケーブルに接続する接続作業において、作業者による特別な設定作業を必要とせずに、上記配電方式判定部により自動的に給電ケーブルの配電方式を判定して、その判定結果を用いて上記接続完了判定部により正接続状態であるか否かを判定することができる。また、上記配電方式判定部は、例えば電源側接続判定部及び負荷側接続判定部において接続が判定された相の数等のように、電源側接続判定部及び負荷側接続判定部の判定状態によって、簡単に配電方式を判定することができる。
【図面の簡単な説明】
【００１７】
【図１】無停電メータ取替用工具の概略外観図
【図２】無停電メータ取替用工具の構成を示す概略回路図
【図３】制御回路における各判定部の構成を示すブロック図
【図４】取替工事における工具設置工程の状態を示す図
【図５】取替工事における電源側接続工程の状態を示す図
【図６】取替工事における負荷側接続工程の状態を示す図
【図７】取替工事における投入工程の状態を示す図
【図８】取替工事における判定結果表示部での表示状態例を示す図
【図９】取替工事における判定結果表示部での表示状態例を示す図
【図１０】取替工事における判定結果表示部での表示状態例を示す図
【図１１】取替工事における判定結果表示部での表示状態例を示す図
【図１２】取替工事における判定結果表示部での表示状態例を示す図
【図１３】取替工事における判定結果表示部での表示状態例を示す図
【図１４】取替工事における判定結果表示部での表示状態例を示す図
【図１５】取替工事における判定結果表示部での表示状態例を示す図
【発明を実施するための形態】
【００１８】
本発明に係る無停電メータ取替用工具の実施形態について、図面に基づいて説明する。
尚、図１〜図３には、本実施形態にかかる無停電メータ取替用工具１（以下、「本取替用工具１」と呼ぶ場合がある。）の構成を示しており、図４〜図７には、本取替用工具１を用いた電力量メータＥＭ（メータ類の一例）の取替工事の状態を示しており、図８〜図１５には、当該取替工事における判定結果表示部３での表示状態例を示している。図４〜図７及び図８〜図１５の各図に示すＬＥＤランプおいて、点灯状態であるものは網掛けで塗りつぶしており、消灯状態であるものは白抜きとしている。
【００１９】
本取替用工具１は、図１及び図６に示すように、電源側給電ケーブルＳＣに接続される電源側接続ケーブル２０と、負荷側給電ケーブルＬＣに接続される負荷側接続ケーブル３０を有する工具本体２を備える。
そして、本取替用工具１は、電源側接続ケーブル２０及び負荷側接続ケーブル３０を電源側給電ケーブルＳＣ及び負荷側接続ケーブル３０に接続して電源側接続ケーブル２０と負荷側接続ケーブル３０とを導通させることで、当該電源側給電ケーブルＳＣと当該負荷側給電ケーブルＬＣとの間に介装された電力量メータＥＭを無停電状態で取り外し可能とする工具として構成されている。
【００２０】
詳細については後述するが、例えば本取替用工具１を用いた電力量メータＥＭの取替工事は、以下のような流れで実行される。
先ず、掛け紐１９（図１参照）を電力量メータＥＭの設置部等に掛けるなどして、図４に示すように、交換対象の電力量メータＥＭの近傍に本取替用工具１を設置する工具設置工程が実行される。
次に、図５に示すように、電源側接続ケーブル２０を電源側給電ケーブルＳＣに接続する電源側接続工程が実行される。
次に、図６に示すように、負荷側接続ケーブル３０を負荷側給電ケーブルＬＣに接続する負荷側接続工程が実行される。
【００２１】
そして、これら電源側接続工程及び負荷側接続工程の完了時点において、電源側接続ケーブル２０及び負荷側接続ケーブル３０が電源側給電ケーブルＳＣ及び負荷側給電ケーブルＬＣに対して正しく接続された正接続状態であるとする。この場合には、工具本体２の正面に配置された接続完了ランプ５９ｏが点灯する。そして、この接続完了ランプ５９ｏの点灯が確認されると、図７に示すように、手動スイッチ１０ａをＯＦＦ状態（開放状態）からＯＮ状態（閉成状態）へ切り替える投入工程が実行される。
【００２２】
すると、電源側給電ケーブルＳＣに接続された電源側接続ケーブル２０と負荷側給電ケーブルＬＣに接続された負荷側接続ケーブル３０とが短絡接続された状態となる。この状態では、電源側給電ケーブルＳＣと負荷側給電ケーブルＬＣとの間に介装されている電力量メータＥＭを取り外した場合でも、電源側給電ケーブルＳＣから負荷側給電ケーブルＬＣへの電力の供給が継続する無停電状態となる。よって、このような無停電状態において、電力量メータＥＭを検品済みのもの等に取り替えることができる。
【００２３】
上述のような電力量メータＥＭの取替工事では、接続作業の完了時にその接続が正しく行われていない誤接続状態であるのにも拘らず、手動スイッチ１０ａが誤操作される場合がある。そこで、本取替用工具１は、このような手動スイッチ１０ａの誤操作が発生した場合でも、短絡事故を確実に防止するための特徴構成を有しており、その特徴構成を含む本取替用工具１の詳細構成等について、以下に説明する。
【００２４】
尚、以下の説明において、給電ケーブルＳＣ，ＬＣの第１電線Ｓ１，Ｌ１は、黒色の絶縁被覆が施された非接地側の電圧線である。給電ケーブルＳＣ，ＬＣの第２電線Ｓ２，Ｌ２は、白色の絶縁被覆が施された接地側の中性線である。給電ケーブルＳＣ，ＬＣの第３電線Ｓ３，Ｌ３は、赤色の絶縁被覆が施された非接地側の電圧線である。
【００２５】
一方、工具本体２に設けられている接続ケーブル２０，３０についても、黒色の絶縁被覆が施された電圧線用の第１電線２１，３１と、白色の絶縁被覆が施された中性線用の第２電線２２，３２と、赤色の絶縁被覆が施された電圧線用の第３電線２３，３３とからなる３線式のケーブルとして構成されている。
【００２６】
夫々の接続ケーブル２０，３０の各相の電線２１，２２，２３，３１，３２，３３の先端には、図１に示すように、給電ケーブルＳＣ，ＬＣに取り付けられた端子Ｔに対して容易に着脱自在なプラグＰが取り付けられている。当該端子Ｔは、夫々の給電ケーブルＳＣ，ＬＣの各相の電線Ｓ１，Ｓ２，Ｓ３，Ｌ１，Ｌ２，Ｌ３に対して、絶縁被覆を押し切りながら電線Ｓ１，Ｓ２，Ｓ３，Ｌ１，Ｌ２，Ｌ３を挟持して導通させる押し切り螺子式の端子として構成されている。
【００２７】
即ち、電力量メータＥＭに接続されている夫々の給電ケーブルＳＣ，ＬＣの各相の電線Ｓ１，Ｓ２，Ｓ３，Ｌ１，Ｌ２，Ｌ３に対して端子Ｔが取り付けられる。そして、これら取り付けられた端子Ｔに対して、接続ケーブル２０，３０の各相の電線２１，２２，２３，３１，３２，３３のプラグＰが装着される。このことで、夫々の接続ケーブル２０，３０の各相の電線２１，２２，２３，３１，３２，３３が、夫々の給電ケーブルＳＣ，ＬＣの各相の電線Ｓ１，Ｓ２，Ｓ３，Ｌ１，Ｌ２，Ｌ３に対して、導通状態で接続されることになる。
【００２８】
工具本体２には、図２に示すように、電源側接続ケーブル２０の各相の電線２１，２２，２３と負荷側接続ケーブル３０の各相の電線３１，３２，３３との接点において、ブレーカ１０と電磁リレー１２とが直列状態で設けられている。更に、夫々の接続ケーブル２０，３０の各相の電線２１，２２，２３，３１，３２，３３の電位を計測しながら所定の各種処理を実行する制御回路部５等が設けられている。
【００２９】
ブレーカ１０は、図２に示すように、電源側接続ケーブル２０の各相の電線２１，２２，２３と負荷側接続ケーブル３０の各相の電線３１，３２，３３との接点に介装されている。このブレーカ１０は、一定容量の電流が流れたときに上記接点を開放する遮断部として構成されている。また、ブレーカ１０には、開放状態から閉成状態へ切り替え操作可能な復帰用の手動スイッチ１０ａが設けられている。この手動スイッチ１０ａは、図１に示すように工具本体２の前面に配置されている。
【００３０】
電磁リレー１２は、図２に示すように、電源側接続ケーブル２０の各相の電線２１，２２，２３と負荷側接続ケーブル３０の各相の電線３１，３２，３３との接点に介装されている。この電磁リレー１２は、制御回路部５からの制御信号に応じて自動的に開閉する継電部として構成されている。
尚、本実施形態では、電源側の電線２１，２２，２３と負荷側の電線３１，３２，３３との接点において、電源側にブレーカ１０を配置し、負荷側に電磁リレー１２を配置したが、これらの配置順序を逆転させても構わない。
【００３１】
制御回路部５は、図２に示すように、電源側接続ケーブル２０及び負荷側接続ケーブル３０が電源側給電ケーブルＳＣ及び負荷側給電ケーブルＬＣに対して正しく接続された正接続状態であるか否かを判定する判定部として機能する。また、図１に示すように、工具本体２の正面には、複数のＬＥＤランプを配置してなる判定結果表示部３が設けられている。この判定結果表示部３は、夫々のＬＥＤランプを点灯又は消灯する形態で、制御回路部５が機能する判定部の判定結果を表示するように構成されている。
【００３２】
尚、詳細については後述するが、図１に示すように、判定結果表示部３の電源側（電源側接続ケーブル２０側）には、第１電源側接続判定ランプ５１ｏ及び第２電源側接続判定ランプ５２ｏ等のＬＥＤランプが配置されている。また、判定結果表示部３の負荷側（負荷側接続ケーブル３０側）には、第１負荷側接続判定ランプ５６ｏ及び第２負荷側接続判定ランプ５７ｏ等のＬＥＤランプが配置されている。また、判定結果表示部３の中央側には、第１正判定ランプ５３ｏ及び第１誤判定ランプ５３ｘ、第２正判定ランプ５４ｏ及び第２誤判定ランプ５４ｘ、並びに、第３正判定ランプ５５ｏ及び第３誤判定ランプ５５ｘ等のＬＥＤランプが配置されている。また、判定結果表示部３の左上等には、接続完了ランプ５９ｏ等のＬＥＤランプが配置されている。
【００３３】
上記制御回路部５が機能する判定部としては、図３に示すように、電源側接続判定部５１，５２と、負荷側接続判定部５６，５７と、相判定部５３，５４，５５と、配電方式判定部５８と、接続完了判定部５９とが設けられている。以下に、これら判定部並びにその判定部の判定結果を表示する判定結果表示部の詳細について説明を加える。
【００３４】
制御回路部５が機能する電源側接続判定部５１，５２は、上述の電源側接続工程（図５参照）において、電源側給電ケーブルＳＣに対する電源側接続ケーブル２０の接続を判定するものとして構成されている。この判定部としては、図３に示すように、第１電源側接続判定部５１と第２電源側接続判定部５２とが設けられている。
【００３５】
第１電源側接続判定部５１は、電源側の第１電線２１と第２電線２２との間の電位差の有無等を検出することによって、これら第１電線２１と第２電線２２とが電源側給電ケーブルＳＣに対して良好に導通した状態で適切に接続されたか否かを判定する。
即ち、作業者は、電源側の第１電線２１を電源側給電ケーブルＳＣに接続した上で（図８参照）、電源側の第２電線２２を電源側給電ケーブルＳＣに接続する（図９参照）。そして、この時点において、第１電線２１と第２電線２２との間に電位差が生じている場合には、第１電源側接続判定部５１は、電源側接続ケーブル２０の第１電線２１と第２電線２２とが電源側給電ケーブルＳＣに対して適切に接続されたとして、図９に示すように、第１電源側接続判定ランプ５１ｏを点灯させる。
【００３６】
よって、これら第１電線２１及び第２電線２２の電源側給電ケーブルＳＣへの接続を完了した時点において、第１電源側接続判定ランプ５１ｏが点灯している場合には、作業者は、その接続が適切であると認識することができる。逆に、第１電源側接続判定ランプ５１ｏが消灯している場合には、作業者は、その接続が適切ではないと認識して、接続状態を確認し再接続を施すなどの是正処置を行うことができる。
【００３７】
第２電源側接続判定部５２は、電源側の第２電線２２と第３電線２３との間の電位差の有無等を検出することによって、これら第２電線２２と第３電線２３とが電源側給電ケーブルＳＣに対して良好に導通した状態で適切に接続されたか否かを判定する。
即ち、作業者は、電源側の第２電線２２を電源側給電ケーブルＳＣに接続した上で（図９参照）、電源側接続ケーブル２０の第３電線２３を電源側給電ケーブルＳＣに接続する（図１０参照）。そして、この時点において、第２電線２２と第３電線２３との間に電位差が生じている場合には、第２電源側接続判定部５２は、電源側接続ケーブル２０の第２電線２２と第３電線２３とが電源側給電ケーブルＳＣに対して適切に接続されたとして、図１０に示すように、第２電源側接続判定ランプ５２ｏを点灯させる。
【００３８】
よって、これら第２電線２２及び第３電線２３の電源側給電ケーブルＳＣへの接続を完了した時点において、第２電源側接続判定ランプ５２ｏが点灯している場合には、作業者は、その接続が適切であると認識することができる。逆に、第２電源側接続判定ランプ５２ｏが消灯している場合には、作業者は、その接続が適切ではないと認識して、接続状態を確認し再接続を施すなどの是正処置を行うことができる。
【００３９】
一方、制御回路部５が機能する負荷側接続判定部５６，５７は、上述の負荷側接続工程（図６参照）において、負荷側給電ケーブルＬＣに対する負荷側接続ケーブル３０の接続を判定するものとして構成されている。この判定部としては、図３に示すように、第１負荷側接続判定部５６と第２負荷側接続判定部５７とが設けられている。
【００４０】
第１負荷側接続判定部５６は、負荷側の第１電線３１と第２電線３２との間の電位差の有無等を検出することによって、これら第１電線３１と第２電線３２とが負荷側給電ケーブルＬＣに対して良好に導通した状態で適切に接続されたか否かを判定する。
即ち、作業者は、負荷側の第１電線３１を負荷側給電ケーブルＬＣに接続した上で（図１１参照）、負荷側の第２電線３２を負荷側給電ケーブルＬＣに接続する（図１２参照）。そして、この時点において、第１電線３１と第２電線３２との間に電位差が生じている場合には、第１負荷側接続判定部５６は、負荷側接続ケーブル３０の第１電線３１と第２電線３２とが負荷側給電ケーブルＬＣに対して適切に接続されたとして、図１２に示すように、第１負荷側接続判定ランプ５６ｏを点灯させる。
【００４１】
よって、これら第１電線３１及び第２電線３２の負荷側給電ケーブルＬＣへの接続を完了した時点において、第１負荷側接続判定ランプ５６ｏが点灯している場合には、作業者は、その接続が適切であると認識することができる。逆に、第１負荷側接続判定ランプ５６ｏが消灯している場合には、作業者は、その接続が適切ではないと認識して、接続状態を確認し再接続を施すなどの是正処置を行うことができる。
【００４２】
第２負荷側接続判定部５７は、負荷側の第２電線３２と第３電線３３との間の電位差の有無等を検出することによって、これら第２電線３２と第３電線３３とが負荷側給電ケーブルＬＣに対して良好に導通した状態で適切に接続されたか否かを判定する。
即ち、作業者は、負荷側の第２電線３２を負荷側給電ケーブルＬＣに接続した上で（図１２参照）、負荷側接続ケーブル３０の第３電線３３を負荷側給電ケーブルＬＣに接続する（図１３参照）。そして、この時点において、第２電線３２と第３電線３３との間に電位差が生じている場合には、第２負荷側接続判定部５７は、負荷側接続ケーブル３０の第２電線３２と第３電線３３とが負荷側給電ケーブルＬＣに対して適切に接続されたとして、図１３に示すように、第２負荷側接続判定ランプ５７ｏを点灯させる。
【００４３】
よって、これら第２電線３２及び第３電線３３の負荷側給電ケーブルＬＣへの接続を完了した時点において、第２負荷側接続判定ランプ５７ｏが点灯している場合には、作業者は、その接続が適切であると認識することができる。逆に、第２負荷側接続判定ランプ５７ｏが消灯している場合には、作業者は、その接続が適切ではないと認識して、接続状態を確認し再接続を施すなどの是正処置を行うことができる。
【００４４】
制御回路部５が機能する相判定部５３，５４，５５は、上述の電源側接続工程（図５参照）を実行した上で上述の負荷側接続工程（図６参照）を実行する時点において、電源側接続ケーブル２０が接続された電源側給電ケーブルＳＣに対する負荷側接続ケーブル３０が接続された負荷側給電ケーブルＬＣの相の同異を判定するものとして構成されている。この相判定部５３，５４，５５としては、図３に示すように、第１相判定部５３と第２相判定部５４と第３相判定部５５とが設けられている。
【００４５】
第１相判定部５３は、図１１に示すように、電源側接続ケーブル２０の第１電線２１を電源側給電ケーブルＳＣに接続する共に負荷側接続ケーブル３０の第１電線３１を負荷側給電ケーブルＬＣに接続した時点において、電源側の第１電線２１と負荷側の第１電線３１との電位差や位相差を検出することによって、これら第１電線２１，３１の夫々が、電源側給電ケーブルＳＣ及び負荷側給電ケーブルＬＣの夫々において同じ相の電線Ｓ１，Ｌ１に接続されたか否かを判定する。
即ち、第１相判定部５３は、第１電線２１と第１電線３１との間に電位差や位相差が生じていない場合には、これら第１電線２１，３１の夫々が同じ相の電線Ｓ１，Ｌ１に接続されているとして、第１正判定ランプ５３ｏを点灯させると共に第１誤判定ランプ５３ｘを消灯させる。逆に、第１相判定部５３は、第１電線２１と第１電線３１との間に電位差や位相差が生じている場合には、これら第１電線２１，３１の夫々が別の相の電線Ｓ２，Ｓ３，Ｌ２，Ｌ３に接続されているとして、第１正判定ランプ５３ｏを消灯させると共に第１誤判定ランプ５３ｘを点灯させる。
【００４６】
よって、第１正判定ランプ５３ｏが点灯している場合には、作業者は、夫々の第１電線２１，３１の接続が適切であると認識することができる。逆に、第１誤判定ランプ５３ｘが点灯している場合には、作業者は、夫々の第１電線２１，３１の接続が適切ではないと認識して、接続状態を確認し再接続を施すなどの是正処置を行うことができる。
【００４７】
第２相判定部５４は、図１２に示すように、電源側接続ケーブル２０の第２電線２２を電源側給電ケーブルＳＣに接続する共に負荷側接続ケーブル３０の第２電線３２を負荷側給電ケーブルＬＣに接続した時点において、電源側の第２電線２２と負荷側の第２電線３２との電位差や位相差を検出することによって、これら第２電線２２，３２の夫々が、電源側給電ケーブルＳＣ及び負荷側給電ケーブルＬＣの夫々において同じ相の電線Ｓ２，Ｌ２に接続されたか否かを判定する。
即ち、第２相判定部５４は、第２電線２２と第２電線３２との間に電位差や位相差が生じていない場合には、これら第２電線２２，３２の夫々が同じ相の電線Ｓ２，Ｌ２に接続されているとして、第２正判定ランプ５４ｏを点灯させると共に第２誤判定ランプ５４ｘを消灯させる。逆に、第２相判定部５４は、第２電線２２と第２電線３２との間に電位差や位相差が生じている場合には、これら第２電線２２，３２の夫々が別の相の電線Ｓ１，Ｓ３，Ｌ１，Ｌ３に接続されているとして、第２正判定ランプ５４ｏを消灯させると共に第２誤判定ランプ５４ｘを点灯させる。
【００４８】
よって、第２正判定ランプ５４ｏが点灯している場合には、作業者は、夫々の第２電線２２，３２の接続が適切であると認識することができる。逆に、第２誤判定ランプ５４ｘが点灯している場合には、作業者は、夫々の第２電線２２，３２の接続が適切ではないと認識して、接続状態を確認し再接続を施すなどの是正処置を行うことができる。
【００４９】
第３相判定部５５は、図１３に示すように、電源側接続ケーブル２０の第３電線２３を電源側給電ケーブルＳＣに接続する共に負荷側接続ケーブル３０の第３電線３３を負荷側給電ケーブルＬＣに接続した時点において、電源側の第３電線２３と負荷側の第３電線３３との電位差や位相差を検出することによって、これら第３電線２３，３３の夫々が、電源側給電ケーブルＳＣ及び負荷側給電ケーブルＬＣの夫々において同じ相の電線Ｓ３，Ｌ３に接続されたか否かを判定する。
即ち、第３相判定部５５は、第３電線２３と第３電線３３との間に電位差や位相差が生じていない場合には、これら第３電線２３，３３の夫々が同じ相の電線Ｓ３，Ｌ３に接続されているとして、第３正判定ランプ５５ｏを点灯させると共に第３誤判定ランプ５５ｘを消灯させる。逆に、第３相判定部５５は、第３電線２３と第３電線３３との間に電位差や位相差が生じている場合には、これら第３電線２３，３３の夫々が別の相の電線Ｓ１，Ｓ２，Ｌ１，Ｌ２に接続されているとして、第３正判定ランプ５５ｏを消灯させると共に第３誤判定ランプ５５ｘを点灯させる。
【００５０】
よって、第３正判定ランプ５５ｏが点灯している場合には、作業者は、夫々の第３電線２３，３３の接続が適切であると認識することができる。逆に、第３誤判定ランプ５５ｘが点灯している場合には、作業者は、夫々の第３電線２３，３３の接続が適切ではないと認識して、接続状態を確認し再接続を施すなどの是正処置を行うことができる。
【００５１】
制御回路部５が機能する接続完了判定部５９は、図３に示すように、上述した電源側接続判定部５１，５２、負荷側接続判定部５６，５７、及び相判定部５３，５４，５５の判定結果に基づいて、電源側接続ケーブル２０及び負荷側接続ケーブル３０が電源側給電ケーブルＳＣ及び負荷側給電ケーブルＬＣに対して正しく接続された正接続状態であるか否かを判定するものとして構成されている。
即ち、図７及び図１３に示すように、電源側接続判定部５１，５２により電源側接続ケーブル２０の各相の電線２１，２２，２３が電源側給電ケーブルＳＣに対して適切に接続されたと判定されて電源側の全ての接続判定ランプ５１ｏ，５２ｏが点灯し、且つ、負荷側接続判定部５６，５７により負荷側接続ケーブル３０の各相の電線３１，３２，３３が負荷側給電ケーブルＬＣに対して適切に接続されたと判定されて負荷側の全ての接続判定ランプ５６ｏ，５７ｏが点灯し、且つ、相判定部５３，５４，５５により電源側接続ケーブル２０の各電線２１，２２，２３と負荷側接続ケーブル３０の各電線３１，３２，３３とが夫々同じ相の給電ケーブルＳＣ，ＬＣの各電線Ｓ１，Ｓ２，Ｓ３，Ｌ１，Ｌ２，Ｌ３に接続されていると判定されて全ての正判定ランプ５３ｏ，５４ｏ，５５ｏが点灯している場合において、接続完了判定部５９は、上記正接続状態での接続が完了していると判定して、接続完了ランプ５９ｏを点灯させる。
【００５２】
よって、電源側及び負荷側の接続ケーブル２０，３０の各相の電線２１，２２，２３，３１，３２，３３を電源側及び負荷側の給電ケーブルＳＣ，ＬＣの各相の電線Ｓ１，Ｓ２，Ｓ３，Ｌ１，Ｌ２，Ｌ３に接続した時点において、接続完了ランプ５９ｏが点灯している場合には、作業者は、電源側接続ケーブル２０及び負荷側接続ケーブル３０が電源側給電ケーブルＳＣ及び負荷側給電ケーブルＬＣに対して正しく接続されたことを認識することができる。そして、このように認識した作業者は、図７に示すように、上述した投入工程を実行して手動スイッチ１０ａをＯＦＦ状態（開放状態）からＯＮ状態（閉成状態）へ切り替えることで、ブレーカ１０を開放状態から閉成状態へ切り替えることができる。
【００５３】
図２及び図３を参照して、制御回路部５は、上記接続完了判定部５９により正接続状態であると判定されて接続完了ランプ５９ｏが点灯している場合には、電磁リレー１２を開放状態から閉成状態へ自動的に切り替えるように構成されている。即ち、電磁リレー１２は、電源側接続ケーブル２０と負荷側接続ケーブル３０との接点において手動スイッチ１０ａと直列状態で設けられており、制御回路部５で正接続状態であると判定されたときに開放状態から閉成状態へ自動的に切り替わる継電部として機能する。このことにより、電源側給電ケーブルＳＣに接続された電源側接続ケーブル２０と負荷側給電ケーブルＬＣに接続された負荷側接続ケーブル３０とが短絡接続された状態となって、無停電状態で電力量メータＥＭを取り外し可能な状態となる。
【００５４】
一方、制御回路部５は、誤接続等の理由によって、上記接続完了判定部５９により正接続状態であると判定されておらず、接続完了ランプ５９ｏが消灯している場合には、電磁リレー１２を閉成状態へ切り替えることなく開放状態に維持するように構成されている。
よって、この状態で手動スイッチ１０ａが開放状態から閉成状態へ誤操作された場合であっても、電磁リレー１２によって電源側接続ケーブル２０と負荷側接続ケーブル３０との接点が開放状態に維持されることになって、誤接続による短絡事故等が確実に防止されることになる。
【００５５】
図３を参照して、制御回路部５が機能する配電方式判定部５８は、電源側接続判定部５１，５２及び負荷側接続判定部５６，５７での判定状態に基づいて、具体的には電源側接続判定部５１，５２及び負荷側接続判定部５６，５７において接続が判定された相の数等によって、給電ケーブルＳＣ，ＬＣの配電方式を判定するように構成されている。そして、接続完了判定部５９は、この配電方式判定部５８の判定結果を用いて上記正接続状態であるか否かを判定する。
【００５６】
即ち、配電方式判定部５８は、図１０に示すように、電源側接続ケーブル２０が有する第１電線２１、第２電線２２及び第３電線２３の全てが電源側給電ケーブルＳＣに接続されたと電源側接続判定部５１，５２により判定された場合には、当該給電ケーブルＳＣ，ＬＣの配電方式が単相３線式であると判定する。
このように配電方式判定部５８により単相３線式であると判定された場合には、上述したとおり、図１３に示すように、電源側及び負荷側の全ての接続判定ランプ５１ｏ，５２ｏ，５６ｏ，５７ｏが点灯し、且つ、全ての正判定ランプ５３ｏ，５４ｏ，５５ｏが点灯したときに、接続完了判定部５９（図３参照）によって、接続ケーブル２０，３０が単相３線式の給電ケーブルＳＣ，ＬＣに対して接続ケーブル２０，３０が正しく接続された正接続状態であると判定されて、接続完了ランプ５９ｏが点灯すると共に電磁リレー１２が開放状態から閉成状態へ自動的に切り替わることになる。
【００５７】
一方、配電方式判定部５８は、図１４に示すように、電源側接続ケーブル２０が有する第１電線２１及び第２電線２２のみが電源側給電ケーブルＳＣに接続されたと第１電源側接続判定部５１（図３参照）により判定された後に、図１５に示すように、電源側接続ケーブル２０の第３電線２３の接続がされないままに、負荷側接続ケーブル３０の第１電線３１が負荷側給電ケーブルＬＣに接続されたと第１負荷側接続判定部５６（図３参照）により判定された場合には、当該給電ケーブルＳＣ，ＬＣの配電方式が単相２線式であると判定する。
このように配電方式判定部５８により単相２線式であると判定された場合には、図１５に示すように、第１電源側接続判定ランプ５１ｏ及び第１負荷側接続判定ランプ５６ｏが点灯し、且つ、第１正判定ランプ５３ｏ及び第２正判定ランプ５４ｏが点灯したときに、接続完了判定部５９（図３参照）によって、接続ケーブル２０，３０が単相２線式の給電ケーブルＳＣ，ＬＣに対して接続ケーブル２０，３０が正しく接続された正接続状態であると判定されて、接続完了ランプ５９ｏが点灯すると共に電磁リレー１２が開放状態から閉成状態へ自動的に切り替わることになる。
【００５８】
〔別実施形態〕
本発明の他の実施形態について説明する。尚、以下に説明する各実施形態の構成は、それぞれ単独で適用することに限らず、他の実施形態の構成と組み合わせて適用することも可能である。
【００５９】
（１）上記実施形態では、電力量メータＥＭの取替工事において、無停電メータ取替用工具１を利用して無停電状態で電力量メータＥＭを取り外す例を説明したが、電源側給電ケーブルＳＣと負荷側給電ケーブルＬＣとの間に介装された電力量メータＥＭとは別のメータ類の取替工事であっても、無停電メータ取替用工具１を利用して無停電状態でメータ類を取り外すことができる。
【００６０】
（２）上記実施形態では、手動スイッチ１０ａを有するブレーカ１０を設けたが、当該ブレーカとは別に手動スイッチを設けたり、当該ブレーカを省略して手動スイッチのみを設けても構わない。
【００６１】
（３）上記実施形態では、給電ケーブルＳＣ，ＬＣの配電方式を判定する配電方式判定部５８を設けたが、給電ケーブルの配電方式が予め特定されている場合などにおいて、配電方式判定部５８を省略しても構わない。
【符号の説明】
【００６２】
１                  無停電メータ取替用工具
３                  判定結果表示部
５                  制御回路部（判定部）
１０                ブレーカ（遮断部）
１０ａ              手動スイッチ
１２                電磁リレー（継電部）
２０                電源側接続ケーブル（電源側接続部）
３０                負荷側接続ケーブル（負荷側接続部）
５１，５２          電源側接続判定部
５３，５４，５５    相判定部
５６，５７          負荷側接続判定部
５８                配電方式判定部
５９                接続完了判定部
ＥＭ                電力量メータ（メータ類）
ＬＣ                負荷側給電ケーブル
ＳＣ                電源側給電ケーブル
【図１】
2020076689.tif 000003
【図２】
2020076689.tif 000004
【図３】
2020076689.tif 000005
【図４】
2020076689.tif 000006
【図５】
2020076689.tif 000007
【図６】
2020076689.tif 000008
【図７】
2020076689.tif 000009
【図８】
2020076689.tif 000010
【図９】
2020076689.tif 000011
【図１０】
2020076689.tif 000012
【図１１】
2020076689.tif 000013
【図１２】
2020076689.tif 000014
【図１３】
2020076689.tif 000015
【図１４】
2020076689.tif 000016
【図１５】
2020076689.tif 000017